(57)【要約】【課題】  ロール状に巻回されたシート状の舗装用材料の敷き伸ばしに要する労力を軽減し、作業員が立ったまま作業することができる伸展機を提供することを課題とする。【解決手段】  互いに交差し、交差角が可変となるように交差部において相対的に回転可能に連結された左右一対の操作桿であって、任意の或る交差角において互いに平行になる平行腕をそれぞれの先端部に有するとともに、前記交差部を挟んで前記平行腕とは反対側に把持部を有する左右一対の操作桿と、前記平行腕のそれぞれから対をなす他方の平行腕に向かって略直角に突出し、左右一対の前記平行腕が互いに平行になるときに、その先端同士が互いに距離をあけて対向する左右一対の回転支持体とを備える伸展機を提供することによって上記の課題を解決する。【選択図】  図１
2019190066.tif 000002
【特許請求の範囲】
【請求項１】
互いに交差し、交差角が可変となるように交差部において相対的に回転可能に連結された左右一対の操作桿であって、任意の或る交差角において互いに平行になる平行腕をそれぞれの先端部に有するとともに、前記交差部を挟んで前記平行腕とは反対側に把持部を有する左右一対の操作桿と、前記平行腕のそれぞれから対をなす他方の平行腕に向かって略直角に突出し、左右一対の前記平行腕が互いに平行になるときに、その先端同士が互いに距離をあけて対向する左右一対の回転支持体とを備える、ロール状に巻回されたシート状の舗装用材料の伸展機。
【請求項２】
前記左右一対の回転支持体が、その軸が前記平行腕からの前記突出方向と一致している円筒形であり、前記平行腕のそれぞれに、前記軸の回りに回転自在に支持されている請求項１記載の伸展機。
【請求項３】
前記平行腕が、前記交差角を含む平面に対して９０度以下の角度で上向きに曲折している請求項１又は２記載の伸展機。
【発明の詳細な説明】
【技術分野】
【０００１】
本発明は舗装用材料の伸展機に関し、詳細には、ロール状に巻回されたシート状の舗装用材料を施工面上に伸展するのに用いられる伸展機に関する。
【背景技術】
【０００２】
従来から、舗装の構築や補修に際し、補強や防水などの目的で、様々なシート状の舗装用材料が使用されている。例えば、特許文献１には連続したガラス繊維に熱可塑性樹脂を特定の容積割合で含浸させた補強シートが開示され、特許文献２にはプライマーをシート状に成型してなる成型済みプライマーシートが開示されている。これらシート状の舗装用材料は、道路、橋面等の施工面上に敷き伸ばした後、その上にアスファルト混合物などを舗設することにより、アスファルト舗装を強化し、リフレクションクラックやひび割れの発生を防止する補強シートとして、或いは、雨水等の浸透を防いで、より下方に位置する路盤や床版などを劣化や腐食などから守る防水層などとして用いられている。
【０００３】
これらシート状の舗装用材料は、通常、製造後、ロール状に巻回された状態で保管され、使用時には、ロール状に巻回された状態のまま施工現場に搬送されて施工面上に敷き伸ばされて使用される。敷き伸ばしは、舗装用材料のロールを施工面上の所定位置に載置し、その後、ロールを、ロールが巻きほどかれる方向に回転させながら施工面上を移動させることによって行われる。しかし、シート状の舗装用材料は、一般に、ガラス繊維や合成繊維などの織布又は不織布にアスファルトや熱可塑性樹脂を含浸させたものであり、幅が１ｍ程度のものであっても、これがロール状に巻回された状態にあるとかなりの重量がある。このため、シート状の舗装用材料のロールを施工面上でロールを巻きほどく方向に回転させながら移動させるには多大な労力を要し、かつ、ロールを手で押して回転させる作業は腰を屈めての作業になるので、作業員への負担が大きいという問題点があった。
【先行技術文献】
【特許文献】
【０００４】
【特許文献１】特開２００１−２３４５０５号公報
【特許文献２】特開２００９−２０９２号公報
【発明の概要】
【発明が解決しようとする課題】
【０００５】
本発明は、上記従来技術の状況に鑑みに為されたもので、ロール状に巻回されたシート状の舗装用材料の敷き伸ばしに要する労力を軽減し、作業員が立ったまま比較的楽にシート状の舗装用材料を施工面上に敷き伸ばすことができる、ロール状に巻回されたシート状の舗装用材料の伸展機を提供することを課題とするものである。
【課題を解決するための手段】
【０００６】
上記課題を解決すべく、鋭意研究を重ねた結果、本発明者らは、ロール状に巻回されたシート状の舗装用材料が、通常、中空円筒形の巻回芯の回りに巻回され、その芯部には空間があることに着目し、この芯部の空間を利用することによって、舗装用材料のロールを比較的容易に施工面上で回転移動させることができるのではないかとの着想を得た。この着想に基づき、さらに多数の試行錯誤を繰り返した結果、本発明者らは、舗装用材料のロールを回転させるときの支持体となるものをロールの両側部からロール芯部の空間内に挿入し、この支持体に連結された操作桿をロール巻きもどし方向に牽引することによって、比較的容易に舗装用材料のロールを施工面上で回転、移動させ、敷き伸ばすことができることを見出した。
【０００７】
すなわち、本発明は、互いに交差し、交差角が可変となるように交差部において相対的に回転可能に連結された左右一対の操作桿であって、任意の或る交差角において互いに平行になる平行腕をそれぞれの先端部に有するとともに、前記交差部を挟んで前記平行腕とは反対側に把持部を有する左右一対の操作桿と、前記平行腕のそれぞれから対をなす他方の平行腕に向かって略直角に突出し、左右一対の前記平行腕が互いに平行になるときに、その先端同士が互いに距離をあけて対向する左右一対の回転支持体とを備える、ロール状に巻回されたシート状の舗装用材料の伸展機を提供することによって上記の課題を解決するものである。
【０００８】
上記のとおり、本発明に係る伸展機は、交差角が可変に連結された左右一対の操作桿の先端部に平行腕を有し、その平行腕から略直角に突出する左右一対の回転支持体を有しているので、使用時には、把持部を操作して、左右一対の操作桿の交差角を大きくし、対象となるロールを左右一対の回転支持体の先端間に位置させた後、再び把持部を操作して、左右一対の操作桿の交差角を小さくすることによって、それぞれ平行腕に取り付けられている左右一対の回転支持体を、ロールの両側から、それぞれロール芯部の空間内に挿入し、ロールを回転、移動させるときの支持体として機能させることができる。この状態で、把持部を持って伸展機全体をロールの巻回を巻きほどく方向に移動させると、シート状の舗装用材料を巻回したロールは施工面上を回転しながら、牽引された方向に移動し、巻回されていたシート状の舗装用材料を施工面上に敷き伸ばすことができる。
【０００９】
左右一対の操作桿や左右一対の平行腕は、比較的軽量な金属、合成樹脂、木などの材料で作成することが望ましく、金属や合成樹脂を用いる場合にも中空にすることにより、機械的強度を保ちながら更に軽量化することが望ましい。本発明に係る伸展機はその構造が簡単であり、かつ、軽量に製造できるので、その搬送や操作は作業員一人でも十分に行うことが可能である。また、ロールの回転、移動によるシート状舗装用材料の敷き伸ばしは、前記左右一対の回転支持体をロールの芯部の空間内に挿入した状態で、把持部を持って伸展機全体を牽引するだけで良い。この牽引作業は、操作桿の長さを適宜調節することによって、また、操作桿の把持部を持ち上げる高さを調節することによって、作業員が立ったまま行うことができるので、従来は必要であった腰を屈めた作業を不要とし、作業員の労力を著しく軽減することができる。
【００１０】
なお、上記した左右一対の操作桿は、操作桿の交差角が任意の或る角度のときに互いに平行になる平行腕をそれぞれの先端部に有するものであるが、前記任意の或る角度に特段の制限はなく、左右一対の操作桿は、互いに相対的に回転して交差角を変化させるとき、その交差角がいずれかの角度であるときに、互いに平行になる平行腕を、それぞれの先端部に有していれば良い。
【００１１】
なお、左右一対の回転支持体は、それぞれ平行腕から対をなす他方の平行腕に向かって略直角に突出しており、左右一対の回転支持体は、左右一対の前記平行腕が互いに平行になるときに、その先端同士が互いに距離をあけて対向する。左右一対の前記平行腕が互いに平行になるときに、左右一対の回転支持体は、その先端同士を対向させて、同一直線上に整列しているのが望ましい。
【００１２】
本発明に係る伸展機の好適な一態様において、左右一対の回転支持体は、その軸が平行腕からの突出方向と一致している円筒形であり、左右一対の平行腕のそれぞれに、前記軸の回りに回転自在に支持されている。このように、回転支持体が平行腕に対し略直角に突出する軸のまわりに回転自在に支持されている円筒形である場合には、本発明に係る伸展機を牽引したとき、ロールの芯部空間内に挿入されている回転支持体がロールの回転の妨げとなることが防止されるので、ロールを施工面上でよりスムースに回転、移動させることができる。
【００１３】
本発明に係る伸展機の好適な他の一態様において、左右一対の平行腕は、左右一対の操作桿が交差する交差角を含む平面に対して９０度以下の角度で上向きに曲折している。このように、左右一対の平行腕が上向きに曲折している場合には、左右一対の回転支持体をロールの芯部空間内に挿入し、作業員が立ち位置で本発明に係る伸展機の把持部を把持したとき、左右一対の平行腕を施工面とほぼ平行に位置させることができるので、舗装用材料のロールを施工面に対してほぼ平行に牽引することができ、ロールを施工面上でよりスムースに回転、移動させることができるという利点が得られる。なお、左右一対の平行腕の上向きへの曲折角度は、操作桿の長さや、牽引時における想定される把持部の高さ等に基づいて、牽引時に左右一対の平行腕が施工面とほぼ平行になる角度に適宜設定すれば良い。
【００１４】
本発明に係る伸展機が対象とするシート状の舗装用材料は、シート状で、ロール状に巻回されているものであれば良く、その構造、構成材料、使用目的等に特段の制限はない。例えば、ガラス繊維を基材とし、これに改質アスファルトを含浸させたリフレクションクラック抑制シートなどのシート式ＳＡＭＩ工法に用いられるシート、ガラスメッシュに改質アスファルトを被覆させた常温粘着型の防水シートなどのシート系防水工法に用いられるシート、防水性に富む特殊アスファルトと高強度の合成繊維不織布で構成された防水性とリフレクションクラックの抑制能に優れたシートなどが挙げられるが、これらに限られるものではない。
【発明の効果】
【００１５】
本発明の伸展機によれば、重量があるため従来は労力を要し、かつ、腰を屈めて行わなければならなかったロール状に巻回されたシート状舗装用材料の敷き伸ばし作業を、より軽減された労力で、かつ、立ったまま行うことができるという利点が得られる。
【図面の簡単な説明】
【００１６】
【図１】本発明の伸展機の一例を示す平面図である。
【図２】図１に示す左右一対の平行腕とその周辺部分だけを取り出して示す平面図である。
【図３】図１に示す左右一対の操作桿だけを取り出して示す側面図である。
【図４】交差角をα’とし、左右一対の回転支持体間にシート状の舗装用材料が巻回されたロールを位置させた状態を示す平面図である。
【図５】交差角をαとし、左右一対の回転支持体をシート状の舗装用材料が巻回されたロールの中空巻芯内に挿入した状態を示す平面図である。
【図６】本発明に係る伸展機を用いてロール状に巻回されたシート状の舗装用材料を施工面上に敷き伸ばす様子を示した側面図である。
【図７】本発明の伸展機の他の一例を示す側面図である。
【図８】本発明の伸展機のさらに他の一例を示す平面図である。
【図９】本発明の伸展機のさらに他の一例を示す平面図である。
【発明を実施するための形態】
【００１７】
以下、図面を用いて本発明に係る伸展機を説明するが、本発明が図示のものに限られないことはいうまでもない。
【００１８】
図１は、本発明に係る伸展機の一例を示す平面図である。図１において、１は本発明に係る伸展機であり、２ａ、２ｂは左右一対の操作桿である。３は左右一対の操作桿２ａ及び２ｂが互いに交差する交差部、４は先端部にだけネジが切られているボルト、１０ａ及び１０ｂは、それぞれ操作桿２ａ及び２ｂの交差部３に設けられている凹部であり、図１に示す状態で、凹部１０ａは操作桿２ａの下面に、凹部１０ｂは操作桿２ｂの上面に設けられている。左右一対の操作桿２ａ及び２ｂは、交差部３において、凹部１０ａと凹部１０ｂとを重ね合わせた状態で、操作桿２ａ及び２ｂを上下に貫通するボルト４によって相対的に回転可能に連結されている。αは左右一対の操作桿２ａ、２ｂの交差角である。
【００１９】
５ａ、５ｂは、それぞれ操作桿２ａ及び２ｂの先端部に設けられた平行腕である。平行腕５ａ、５ｂは、それぞれ操作桿２ａ、２ｂに対し、角度γａ及びγｂだけ曲折しており、図示の例では、γａ＝γｂ＝（１／２）αであるので、操作桿２ａ及び２ｂの交差角がαであるときに、左右一対の平行腕５ａ及び５ｂは互いに平行になる。なお、平行腕５ａ及び５ｂが互いに平行になる交差角は任意の角度で良く、その任意の角度に特段の制限はない。例えば、交差角が図示の角度αよりも大きな角度α’のときに平行腕５ａ及び５ｂを互いに平行になるようにするには、γａ＝γｂ＝（１／２）α’に設定すれば良く、交差角が図示の角度αよりも小さな角度α’’のときに平行腕５ａ及び５ｂを互いに平行になるようにするには、γａ＝γｂ＝（１／２）α’’に設定すれば良い。
【００２０】
なお、本例では平行腕５ａ及び５ｂは、それぞれ操作桿２ａ及び２ｂの延長として操作桿２ａ及び２ｂと一体的に設けられているが、平行腕５ａ及び５ｂは、それぞれ操作桿２ａ及び２ｂと別体に構成されていても良い。また、別体に構成する場合、平行腕５ａ及び５ｂの操作桿２ａ及び２ｂに対する曲折角度γａ及びγｂが可変となるように、平行腕５ａ及び５ｂをそれぞれ操作桿２ａ及び２ｂに接続すれば、曲折角度γａ及びγｂを変えることによって、一対の平行腕５ａ及び５ｂが互いに平行になる交差角αを適宜変化させることができる。
【００２１】
操作桿２ａ、２ｂ、及び平行腕５ａ、５ｂは、通常、例えば鉄などの金属を構成材料とする断面円形又は正方形の中空で一様な太さを有する部材で構成されている。但し、操作桿２ａ、２ｂ及び平行腕５ａ、５ｂを構成する材料は鉄に限られず、銅、アルミ、真鍮などの鉄以外の金属であっても良いし、合成樹脂、木等の金属以外の材料であっても良く、更には断面形状も円形又は正方形に限られず、楕円形、三角形、四角形その他の多角形であっても良い。また、操作桿２ａ、２ｂ及び平行腕５ａ、５ｂを構成する部材は中空でなくても良く、中身の詰まったリジッドな部材であっても良い。更には、操作桿２ａ、２ｂ及び平行腕５ａ、５ｂは、その全体が一様な太さ及び一様な断面形状でなくても良く、部分的に異なる太さ、異なる断面形状の箇所が混在していても良い。
【００２２】
なお、平行腕５ａ、５ｂの断面形状が一様でないとき、及び断面形状が一様であるときを含めて、平行腕５ａ及び５ｂが互いに平行であるとは、平行腕５ａ及び５ｂの互いに向き合う内側面Ａ及び内側面Ｂが互いに平行であることを意味するものとする。
【００２３】
６ａ、６ｂは、それぞれ平行腕５ａ及び５ｂに取り付けられた回転支持体であり、７ａ、７ｂは、それぞれ回転支持体６ａ及び６ｂの先端、βａ、βｂは、それぞれ回転支持体６ａ及び６ｂが平行腕５ａ及び５ｂに対して為す角度であり、突出角度に相当する。また、８ａ、８ｂは、それぞれ操作桿２ａ及び２ｂの交差部３を挟んで平行腕５ａ及び５ｂとは反対側の端部に設けられた把持部である。
【００２４】
本例においては、βａ＝βｂ＝９０度であり、回転支持体６ａは平行腕５ａから対を為す他方の平行腕５ｂに向かって、回転支持体６ｂは平行腕５ｂから対を為す他方の平行腕５ａに向かって、それぞれ直角に突出している。なお、回転支持体６ａ及び６ｂの突出角度βａ及びβｂは９０度であるのが好ましいが、厳密に９０度である必要はなく、略直角であれば良く、±１０度以下、好ましくは±５度以下の範囲で９０度からずれていても良い。
【００２５】
また、本例において、回転支持体６ａ及び６ｂは、それぞれ平行腕５ａ及び５ｂの対応する同じ位置に取り付けられており、かつ、突出角度βａ＝βｂ＝９０度であるので、左右一対の平行腕５ａ及び５ｂが互いに平行になるときに、回転支持体６ａ及び６ｂは、同一直線上に整列し、その先端７ａ及び７ｂ同士も同一直線上で互いに距離ｄをあけて対向することになる。
【００２６】
なお、左右一対の平行腕５ａ及び５ｂが互いに平行になるときに、回転支持体６ａ及び６ｂは、必ずしも同一直線上に整列しなければならないという訳ではないが、回転支持体６ａ及び６ｂが同一直線上にないときには、舗装用材料のロールの芯部空間内で、回転支持体６ａ及び６ｂとロールの内周面との接触が左右で均等でなくなるので、伸展機１の牽引時に余分の負荷が発生するので好ましくない。
【００２７】
本例において回転支持体６ａ及び６ｂは、共に円筒形であり、その円筒の軸を回転軸として、それぞれ平行腕５ａ及び５ｂに回転自在に支持されている。回転支持体６ａ及び６ｂは、平行腕５ａ及び５ｂに必ずしも回転自在に支持されていなくても良く、平行腕５ａ及び５ｂに固定されていても良いが、回転支持体６ａ及び６ｂがシート状舗装用材料のロールの回転を妨げることが少ないように、少なくとも、回転支持体６ａ及び６ｂは断面が円形の円筒状であるのが好ましい。
【００２８】
図２は、図１の伸展機１において、平行腕５ａ及び５ｂとその周辺部分だけを取り出して示す平面図である。なお、便宜上、対象とするシート状の舗装用材料のロールも併せて示してある。
【００２９】
図２において、Ｒはロール、ＣはロールＲの中空の巻芯、ｒは巻芯Ｃの中心からロールＲの外周までの距離であり、ロールＲの半径に相当する。ＷはロールＲの幅、Ｄは、平行腕５ａの内側面Ａと平行腕５ｂの内側面Ｂとの距離、Ｌａ、Ｌｂは、回転支持体６ａ及び６ｂの回転軸から平行腕５ａ及び５ｂの根元までの距離である。なお、平行腕５ａ及び５ｂの根元とは、交差角が任意の或る角度にあるときに互いに平行になる平行腕５ａ及び５ｂと操作桿２ａ及び２ｂとの境界の位置を意味し、回転支持体６ａ及び６ｂは、通常、それぞれ平行腕５ａ及び５ｂの先端近傍に取り付けられているので、距離Ｌａ及びＬｂは、平行腕５ａ及び５ｂの長さにほぼ相当する。
【００３０】
図２に示すとおり、回転支持体６ａ及び６ｂの回転軸から平行腕５ａ及び５ｂの根元までの距離Ｌａ、Ｌｂは、Ｌａ＝Ｌｂ＞ｒの関係にあり、ロールＲの半径ｒよりも大きく、また、平行腕５ａの内側面Ａと平行腕５ｂの内側面Ｂとの距離Ｄも、ロールＲの幅Ｗよりも大きく設定されているので、左右一対の回転支持体６ａ及び６ｂをロールＲの巻芯Ｃ内に挿入した状態で、互いに平行な平行腕５ａ及び５ｂで囲まれた空間内にロールＲを受け入れて、平行腕５ａ及び５ｂ間にロールＲを回転可能に保持することができる。
【００３１】
回転支持体６ａ及び６ｂの回転軸から平行腕５ａ及び５ｂの根元までの距離Ｌａ及びＬｂ、並びに平行腕５ａの内側面Ａと平行腕５ｂの内側面Ｂとの距離Ｄは、対象とする舗装用材料のロールの想定される最大半径や最大幅に応じて、適宜設定すれば良い。
【００３２】
また、回転支持体６ａ及び６ｂのそれぞれの突出方向の長さには特段の制限はないが、後述するとおり、回転支持体６ａ及び６ｂは、ロールＲの中空巻芯内又はロールＲの芯部の空間内に挿入され、ロールＲに牽引力を伝達する部材であるので、対象とするロールＲの幅Ｗの少なくとも１／８以上の長さは必要で、また、逆に長くなりすぎると、ロールＲの中空巻芯内又はロールＲの芯部の空間内に挿入する作業が困難になるので、ロールＲの幅の１／４以下であるのが望ましい。
【００３３】
図３は、図１に示した操作桿２ａ及び２ｂだけを取り出して示す側面図である。図３において、９ａは回転支持体６ａの回転軸であり、円筒形である回転支持体６ａの円筒の軸に相当し、回転支持体６ａはこの回転軸９ａの回りに回転自在に支持されている。１１ａ、１１ｂは、それぞれ操作桿２ａ及び２ｂの交差部３に設けられているボルト貫通孔、１２はボルト４と螺号するナットである。なお、１０ａ、１０ｂは、前述したとおり、それぞれ操作桿２ａ及び２ｂの交差部３に設けられている凹部である。
【００３４】
操作桿２ａ及び２ｂは、それぞれの交差部３における凹部１０ａと凹部１０ｂとを互いに重ね合わせ、ボルト４をボルト貫通孔１１ａ及び１１ｂに貫通させ、ボルト４の先端部だけに切られているネジとナット１２を螺号させることにより、相互に回転自在に連結される。凹部１０ａ及び凹部１０ｂの深さは、それぞれ操作桿２ａ及び２ｂの厚さの１／２に設定されており、操作桿２ａと２ｂとは共に同じ厚さであるので、交差部３における凹部１０ａと１０ｂとを重ね合わせることにより、操作桿２ａと２ｂとは、交差部３において段差を生じることなく重ね合わせて交差させることができる。
【００３５】
なお、凹部１０ａ及び１０ｂを設けずに、本来の厚さのまま操作桿２ａと２ｂを交差部３において重ね合わせて交差させても良いが、その場合には操作桿２ａ又は２ｂの厚さの分だけ、平行腕５ａ及び５ｂの位置がずれ、回転支持体６ａと回転支持体６ｂとが、同一直線上に整列しなくなるので、操作桿２ａと２ｂの交差部３には、それぞれ凹部１０ａ及び１０ｂを設けるのが好ましい。
【００３６】
次に、図４〜図６を用いて、本発明に係る伸展機１の使用方法を説明する。
【００３７】
本発明に係る伸展機１を用いて、ロール状に巻回されたシート状の舗装用材料を施工面上に敷き伸ばすには、まず、シート状の舗装用材料を巻回したロールＲを施工面上の所定の位置に配置した後、図４に示すように、把持部８ａ及び８ｂを操作して左右一対の操作桿２ａ及び２ｂを相対的に回転させ、交差角をα’にまで大きくした状態の伸展機１を、左右一対の回転支持体６ａ及び６ｂが、ロールＲの中空巻芯Ｃの両側端の開口とそれぞれ向き合う位置に移動させる。
【００３８】
この状態で、再び把持部８ａ及び８ｂを操作して、左右一対の操作桿２ａ及び２ｂを相対的に回転させ、図５に示すように、交差角を平行腕５ａ及び５ｂが互いに平行になる角度αにまで小さくし、同時に、左右一対の回転支持体６ａ及び６ｂを、それぞれ、ロールＲの中空巻芯Ｃの両側端の開口から中空巻芯Ｃ内に挿入する。
【００３９】
その後、図６の側面図に示すように、把持部８ａ及び８ｂを把持して、伸展機１をシート状の舗装用材料を敷き伸ばす方向（図中、直線矢印で示す方向）に牽引すれば良い。なお、図６において、Ｐは施工面、Ｓはシート状の舗装用材料を示している。
【００４０】
伸展機１を図中矢印方向に牽引すると、ロールＲの中空巻芯Ｃの内周面には回転支持体６ａ及び６ｂの外周面が当接し、ロールＲには伸展機１の牽引方向と同じ方向の力が加わるので、ロールＲは図中円弧状の矢印で示す方向に回転しながら施工面Ｐ上を移動し、施工面Ｐ上にはシート状の舗装用材料Ｓが敷き伸ばされることになる。
【００４１】
なお、上記の説明では、ロールＲが中空巻芯Ｃを有している場合について説明したが、ロールＲが中空巻芯を有していない場合には、ロール状に巻回されているシート状の舗装用材料の芯部に存在する空間内に左右一対の回転支持体６ａ及び６ｂを挿入すれば良い。
【００４２】
また、ロール状に巻回されているシート状の舗装用材料は、通常、シートの片面に付着防止用の剥離紙を有しているが、剥離紙がシート状の舗装用材料Ｓの下面に設けられている場合には、シート状の舗装用材料Ｓを施工面Ｐ上に敷き伸ばした後にシート状の舗装用材料Ｓの下面から剥離紙を剥がし、引き抜けば良い。剥離紙がシート状の舗装用材料Ｓの上面に設けられている場合には、シート状の舗装用材料Ｓを施工面Ｐ上に敷き伸ばした後、剥離紙を剥がせば良い。
【００４３】
図７は、本発明に係る伸展機１の他の一例を示す側面図である。図７に示す例においては、平行腕５ｂが交差角を含む平面Ｘに対して角度δだけ上向きに曲折している点が先に示した例とは異なっている。角度δは、作業員が伸展機１を牽引しようとして把持部８ａ及び８ｂを牽引時の高さにまで持ち上げた時、平行腕５ｂが施工面Ｐとほぼ平行になる角度に選ばれている。伸展機１の牽引時に平行腕５ｂが施工面Ｐとほぼ平行になる角度であれば、角度δには特に制限はなく、角度δは何度であっても良いが、最大でも９０度以下、好ましくは６０度以下であるのが望ましい。なお、図示しない平行腕５ａについても同様である。
【００４４】
平行腕５ａ及び５ｂが、交差角を含む平面Ｘに対して９０度以下の角度で上向きに曲折している場合には、作業員による伸展機１の牽引時、平行腕５ａ、５ｂを施工面Ｐとほぼ平行にすることができるので、平行腕５ａ及び５ｂに取り付けられている回転支持体６ａ及び６ｂを介してロールＲに加わる力も施工面Ｐとほぼ平行になり、ロールＲの回転、移動に要する労力をより軽減することができる。
【００４５】
図８は、本発明に係る伸展機１のさらに他の一例を示す平面図である。図８に示す例においては、左右一対の回転支持体６ａ及び６ｂが、それぞれ延長回転支持体６ａ’及び６ｂ’を継ぎ足すことによって、その長さを長くすることができるようになっている点が、これまでに説明した例とは異なっている。
【００４６】
図８に示す伸展機１によれば、例えば、ロール状に巻回されたシート状の舗装用材料の幅が狭く、回転支持体６ａ及び６ｂをロールＲの巻芯内又は芯部空間内に挿入することができない場合であっても、延長回転支持体６ａ’及び６ｂ’を継ぎ足すことによって、左右一対の回転支持体６ａ及び６ｂの長さを長くし、その先端部をロールＲの巻芯内又は芯部空間内に挿入し、本発明に係る伸展機１を用いて、舗装用剤材料を施工面上に敷き伸ばすことができる。
【００４７】
なお、延長回転支持体６ａ’及び６ｂ’を回転支持体６ａ及び６ｂに継ぎ足す機構、手段には特段の制限はなく、回転支持体６ａ及び６ｂの先端部と延長回転支持体６ａ’及び６ｂ’の根元部に互いに螺号するネジ部を形成しておいて、延長回転支持体６ａ’及び６ｂ’を、それぞれ、回転支持体６ａ及び６ｂに螺号させて継ぎ足すようにしても良いし、ネ回転支持体６ａ及び６ｂの先端部と延長回転支持体６ａ’及び６ｂ’の根元部に互いに嵌合する凹凸構造を形成しておいて、延長回転支持体６ａ’及び６ｂ’の根元部を、それぞれ、回転支持体６ａ及び６ｂの先端部に嵌合させることによって、継ぎ足すようにしても良い。
【００４８】
また、回転支持体６ａ及び６ｂとして、長さのことなるものを複数組予め用意しておき、対象とするロールＲの幅に合わせて、適宜選択して左右一対の平行腕５ａ及び５ｂに取り付けるようにしても良い。
【００４９】
図９は、本発明に係る伸展機１のさらに他の一例を示す平面図である。図９に示す例においては、左右一対の回転支持体６ａ及び６ｂが円筒形ではなく、先端部が尖った砲弾型である点が、これまでに説明した例とは異なっている。このように左右一対の回転支持体６ａ及び６ｂが砲弾型である場合には、仮に中空の巻芯を有していないロールを対象とする場合であっても、回転支持体６ａ及び６ｂの砲弾型の先端部をロールの芯部に押し込んで、芯部空間内に挿入する作業を容易に行うことができる。
【００５０】
なお、以上の例では、左右一対の操作桿２ａ及び２ｂは直線状であるが、左右一対の把持部８ａ及び８ｂの部分を含めて、左右一対の操作桿２ａ及び２ｂは、その一部又は全部が曲線状であっても良い。また、以上の例では左右一対の操作桿２ａ及び２ｂはそれぞれ一定した長さを有しており、その長さを変更することができないが、操作桿２ａ及び２ｂは、その長さが可変であっても良い。操作桿２ａ及び２ｂの長さを可変とする手段、機構には特段の制限はなく、適宜のものであって良い。例えば、操作桿２ａ及び２ｂを、それぞれその長さ方向に沿って２つの部分に分割し、一方の端部を他方の端部内に挿入可能としてその挿入深さを可変とするか、或いは一方の端部と他方の端部と重複させてその重複長さを可変とすることによって、操作桿２ａ及び２ｂの長さを変更可能としても良い。その場合、作業中に操作桿２ａ及び２ｂの長さがむやみに変わるのを避けるため、例えば、一方の端部を受け入れる他方の端部に縮径機構などを設けることにより、所望の挿入位置で前記挿入深さが固定されるようにするか、一方の端部と他方の端部の双方に複数のピン穴を設け、所望のピン穴同士が重なった位置でピン穴に固定ピンを挿入することによって、所望の重複位置で前記重複長さが固定されるようにするのが望ましい。他なお、操作桿２ａ及び２ｂを分割する数は２つに限られず、３つ以上に分割しても良いことは勿論である。
【産業上の利用可能性】
【００５１】
以上説明したとおり、本発明の伸展機によれば、軽減された労力で、かつ、立ったままの作業で、ロール状に巻回されたシート状の舗装用材料を施工面上に敷き伸ばすことができる。本発明の伸展機は、簡単な構造で、構成材料も少ないので、比較的軽量に製造でき、また、左右一対の操作桿を回転させて交差角を小さくするか、或いは、連結部における連結を解除することによって、一本の棒状若しくは棒状に近い形状にまとめることができるので、持ち運びも容易である。本発明の伸展機が各種道路舗装及び各種橋面舗装における新設並びに補修工事にもたらす作業負担軽減の影響は多大であり、その産業上の有用性は明白である。
【符号の説明】
【００５２】
１            伸展機
２ａ、２ｂ    操作桿
３            交差部
４            ボルト
５ａ、５ｂ    平行腕
６ａ、６ｂ    回転支持体
８ａ、８ｂ    把持部
１０ａ、１０ｂ    凹部
１１ａ、１１ｂ    貫通孔
１２          ナット
Ｃ            巻芯
Ｐ            施工面
Ｒ            ロール
Ｓ            シート状の舗装用材料
Ｘ            交差角を含む平面
α            交差角
【図１】
2019190066.tif 000003
【図２】
2019190066.tif 000004
【図３】
2019190066.tif 000005
【図４】
2019190066.tif 000006
【図５】
2019190066.tif 000007
【図６】
2019190066.tif 000008
【図７】
2019190066.tif 000009
【図８】
2019190066.tif 000010
【図９】
2019190066.tif 000011